(57)【要約】【課題】外乱光による影響を受けることなく、暗い環境下で光ファイバをセットする際の作業性を改善することができる光パワー測定機能付き光心線判別装置を提供する。【解決手段】光心線判別装置は、光ファイバを部分的に曲げて光信号を漏洩させるための湾曲部が形成された光心線判別用ヘッドと、光ファイバの端部を着脱可能に装着するためのレセプタを設けた光パワー測定用ヘッドと、光心線判別用ヘッド又は光パワー測定用ヘッドを着脱可能に装着する本体部１０とを備える。本体部１０は、光心線判別用ヘッドの湾曲部に嵌合する凹部が形成された先端部中央付近に第１の受光素子を保持すると共に、第１の受光素子の両側に第２の受光素子及び第３の受光素子を保持する受光素子保持部５と、受光素子保持部５を本体部１０に対して相対移動させる操作レバー３と、光心線判別用ヘッド又は光パワー測定用ヘッドを照明する照明部２ａとを備える。【選択図】図１
2010185765.tif 000002
【特許請求の範囲】
【請求項１】
光ファイバを部分的に曲げて光信号を漏洩させるための湾曲部が形成された光心線判別用ヘッドと、光ファイバの端部を着脱可能に装着するためのレセプタを設けた光パワー測定用ヘッドと、前記光心線判別用ヘッド又は前記光パワー測定用ヘッドを着脱可能に装着する本体部とを備えた光パワー測定機能付き光心線判別装置であって、
前記本体部は、前記光心線判別用ヘッドの湾曲部に嵌合する凹部が形成された先端部中央付近に第１の受光素子を保持すると共に、該第１の受光素子の両側に第２の受光素子及び第３の受光素子を保持する受光素子保持手段と、該受光素子保持手段を前記本体部に対して相対移動させる移動手段と、前記光心線判別用ヘッド又は前記光パワー測定用ヘッドを照明する照明手段とを備えていることを特徴とする光パワー測定機能付き光心線判別装置。
【請求項２】
前記本体部の一端には、前記受光素子保持手段が突出可能なように開口部が形成され、
前記照明手段は、前記開口部内側の下面端部付近に設けられたことを特徴とする請求項１に記載の光パワー測定機能付き光心線判別装置。
【請求項３】
前記照明手段は、前記受光素子保持手段の前記光心線判別用ヘッド又は前記光パワー測定用ヘッドに対向する面に設けられたことを特徴とする請求項１に記載の光パワー測定機能付き光心線判別装置。
【請求項４】
前記本体部は、前記照明手段をオン／オフするためのスイッチ手段を設けたことを特徴とする請求項１〜３のいずれか１項に記載の光パワー測定機能付き光心線判別装置。
【請求項５】
前記本体部は、前記光心線判別用ヘッド又は前記光パワー測定用ヘッドが装着されたことを検知すると、前記照明手段をオンし、該照明手段が前記光心線判別用ヘッド又は前記光パワー測定用ヘッドを照明した状態で、前記移動手段が前記受光素子保持手段を移動させたことを検知したときに、前記照明手段の照明をオフすることを特徴とする請求項１〜３のいずれか１項に記載の光パワー測定機能付き光心線判別装置。
【発明の詳細な説明】
【技術分野】
【０００１】
本発明は、通信ケーブル等に利用される光ファイバ心線の光方向判別機能及び光パワー測定機能を備えた光パワー測定機能付き光心線判別装置に関する。
【背景技術】
【０００２】
光ケーブルの敷設等において、ケーブル内に収納されている複数の光ファイバ心線の光損失をそれぞれ測定するために、光ファイバ心線を判別して特定する必要がある。光ファイバ心線の判別には、通常、光ケーブルの一方の端部から特定の光信号（例えば、２７０Ｈｚの周波数に変調された光信号）を送出し、他方の端部側で受光素子により受光検出し、検出回路により判別を行う。
【０００３】
従来、上記光心線判別において、光ファイバ心線の光パワーを測定する場合、心線判別器（ＩＤテスタ）及び光パワーメータの２種の測定機器が必要とされ、光パワーの測定に手間がかかる上に、コスト的にも高価なものとなっていた。
【０００４】
これに対して、特許文献１には、光パワー測定機能付き光心線判別装置が記載されている。この光心線判別装置は、光ファイバから光信号を漏洩させるための湾曲部が形成された光心線判別用ヘッドと、光ファイバを着脱可能に装着するレセプタ部を設けた光パワー測定用ヘッドと、いずれかのヘッドを着脱可能に装着する本体部とを備える。本体部は、湾曲部に嵌合する先端部中央付近に第１の受光素子を保持し、その両側に第２及び第３の受光素子を保持する受光素子保持部と、受光素子保持部を本体部に対して相対移動させる操作レバーとを備え、光心線判別用ヘッドを本体部に装着した場合、いずれか２つの受光素子を用いて光ファイバの漏洩光を検出して光方向を判別し、光パワー測定用ヘッドを本体部に装着した場合、第１の受光素子を用いて光ファイバと光学的に結合して光パワーを測定する。
【先行技術文献】
【特許文献】
【０００５】
【特許文献１】特開２００５−２１４６６３号公報
【発明の概要】
【発明が解決しようとする課題】
【０００６】
上記特許文献１に記載の光パワー測定機能付き光心線判別装置によれば、受光素子を３つ用いることにより、光心線における光方向判別機能及び光パワー測定機能を１つの装置で実現することができる。
【０００７】
しかしながら、光心線判別を行う際には、外乱光の影響を受けないようにするために暗い環境（明かりの無い環境）で行う必要がある。このため、作業性が非常に悪く、作業者が光ファイバを光心線判別用ヘッド（及び本体部）にセットする際に、ヘッド部分が見にくく光ファイバを誤った位置にセットしてしまい、正確な心線判別を行えない場合がある。また、光ファイバをヘッドと本体部に挟んでしまい断線させてしまう恐れがある。また、作業性をよくするために照明を点灯すると、照明の光が外乱光となって光ファイバに侵入し、光心線判別装置が正確に動作しないという問題がある。
【０００８】
本発明は、上述のような実情に鑑みてなされたもので、外乱光による影響を受けることなく、暗い環境下で光ファイバをセットする際の作業性を改善することができる光パワー測定機能付き光心線判別装置を提供すること、を目的とする。
【課題を解決するための手段】
【０００９】
上記課題を解決するために、本発明による光パワー測定機能付き光心線判別装置は、光ファイバを部分的に曲げて光信号を漏洩させるための湾曲部が形成された光心線判別用ヘッドと、光ファイバの端部を着脱可能に装着するためのレセプタを設けた光パワー測定用ヘッドと、光心線判別用ヘッド又は光パワー測定用ヘッドを着脱可能に装着する本体部とを備える。本体部は、光心線判別用ヘッドの湾曲部に嵌合する凹部が形成された先端部中央付近に第１の受光素子を保持すると共に、第１の受光素子の両側に第２の受光素子及び第３の受光素子を保持する受光素子保持手段と、受光素子保持手段を本体部に対して相対移動させる移動手段と、光心線判別用ヘッド又は光パワー測定用ヘッドを照明する照明手段とを備える。
【発明の効果】
【００１０】
本発明によれば、ヘッド部分を照明する照明手段を内蔵することにより、外乱光による影響を受けることなく、暗い環境下で光ファイバをセットする際の作業性を改善することができる。
【図面の簡単な説明】
【００１１】
【図１】本発明の第１の実施形態に係る光パワー測定機能付き光心線判別装置の外観の一例を示す斜視図である。
【図２】本発明の第１の実施形態に係る光パワー測定機能付き光心線判別装置の他の外観例を示す斜視図である。
【図３】本発明の第２の実施形態に係る光パワー測定機能付き光心線判別装置を説明するための図である。
【図４】装着されたヘッドに応じてモードを切り替えるモード切替手段の概要を説明するための図である。
【図５】本発明が適用される光心線判別装置の検出回路の構成例を示すブロック図である。
【図６】本発明が適用される光心線判別装置の検出回路の他の構成例を示すブロック図である。
【発明を実施するための形態】
【００１２】
（第１の実施形態）
図１は、本発明の第１の実施形態に係る光パワー測定機能付き光心線判別装置の外観の一例を示す斜視図である。図１（Ａ）は光パワー測定機能付き光心線判別装置（以下、光心線判別装置という）の光心線判別用ヘッドを装着した状態を示す斜視図で、図１（Ｂ）は光心線判別装置の光心線判別用ヘッドを取り外した状態を示す斜視図である。図１（Ｃ）はヘッド装着状態におけるモード切替用スイッチ周辺の部分断面図である。図中、１０は光心線判別装置の本体部、２０は本体部１０に対して着脱可能な光心線判別用ヘッドで、該光心線判別用ヘッド２０は、本体部１０側に突出する半円形状の湾曲部２１を有し、湾曲部２１には光ファイバを湾曲させて収納する案内溝（図示せず）が設けられている。
【００１３】
図１（Ａ）及び（Ｂ）において、本体部１０は、上部筐体１，下部筐体２，本体部１０に対してスライド可能な移動手段に相当する操作レバー３，ＬＣＤ等の表示部４，光心線判別用ヘッド２０の湾曲部２１に嵌合する半円形状の凹部が形成された受光素子保持手段に相当する受光素子保持部５を有している。受光素子保持部５には３つの受光素子が保持され、また遮光板６が一体的に設けられている。本体部１０の先端部には、光心線判別用ヘッド２０側に設けられた溝部２２と嵌合するヘッド取付用突起部７，光心線判別用ヘッド２０側（前方）に常時付勢されヘッド未装着の状態でヘッド取付用突起部７から一定量突起したモード切替用スイッチ８を備えている。ここで、溝部２２及びヘッド取付用突起部７は例えば蟻溝構造とする。
【００１４】
受光素子保持部５は、操作レバー３を前方（図中矢印の方向）に押し出すことにより、操作レバー３に連動して遮光板６と共に本体部１０に対して相対移動し、凹形状の先端部に保持する全ての受光素子が光心線判別用ヘッド２０の湾曲部２１に対向する位置で停止する。これにより、光心線判別装置は、動作状態となり光心線判別を行うことができる。
【００１５】
図１（Ｂ）に示す状態から、図１（Ａ）に示すように、光心線判別用ヘッド２０を本体部１０に装着する場合、まず、光心線判別用ヘッド２０の溝部２２に、ヘッド取付用突起部７を本体部１０の側面側から嵌入させ、光心線判別用ヘッド２０を本体部１０に対して平行（水平）方向にスライドさせて装着する。このとき、モード切替用スイッチ８は溝部２２により本体部１０側に押し込まれる。図１（Ｃ）に示すように、光心線判別用ヘッド２０にはモード切替用スイッチ８の先端部を受ける凹部２３が形成されており、モード切替用スイッチ８の先端部が凹部２３に嵌入したとき、モード切替用スイッチ８が本体部１０側に押し込まれた状態が解除される。これにより本体側のセンサ（後述）がＯＦＦとなり、光心線判別用ヘッド２０が装着されたことを認識し、光心線判別モードが自動的に設定される。
【００１６】
次に、光ファイバを光心線判別用ヘッド２０の所定位置にセットした後に、操作レバー３を前方にスライド操作して、受光素子保持部５及び遮光板６を本体部１０に対して相対移動させて動作状態とする。動作状態となったとき、外部光は遮光され、光心線判別用ヘッド２０の湾曲部２１によって曲げが付与された光ファイバからの漏洩光を少なくとも２つの受光素子により検出する。検出された漏洩光は、本体部１０に設けられた検出回路により増幅、判別され、その結果は表示部４等に表示される。
【００１７】
上記構成の光心線判別装置の場合、ヘッド側が固定され、受光素子保持部側が移動する構成となっているため、動作状態にするときに光ファイバ側にテンションがかかる心配がなく、光ファイバの破損等を起こすことはない。
【００１８】
図２は、本発明の第１の実施形態に係る光パワー測定機能付き光心線判別装置の他の外観例を示す斜視図である。図２（Ａ）は光心線判別装置の光パワー測定用ヘッドを装着した状態を示す斜視図で、図２（Ｂ）は光心線判別装置の光パワー測定用ヘッドを取り外した状態を示す斜視図である。図２（Ｃ）はヘッド装着状態におけるモード切替用スイッチ周辺の部分断面図である。図中、３０は本体部１０に対して着脱可能な光パワー測定用ヘッドで、光パワー測定用ヘッド３０は、光ファイバの端部を着脱可能に装着するためのレセプタ部３１を中央付近に設けている。尚、本例における本体部１０の構成は図１に示した本体部１０の構成と同様であるため、ここでの説明は省略する。
【００１９】
図２（Ａ）及び（Ｂ）において、受光素子保持部５は、操作レバー３を前方（図中矢印の方向）に押し出すことにより、操作レバー３に連動して遮光板６と共に本体部１０に対して相対移動して、凹部が形成された先端部中央付近に保持された受光素子（以下、第１の受光素子）が光パワー測定用ヘッド３０のレセプタ部３１に対向する位置（すなわち、レセプタ部３１に装着された光ファイバの端部に対向する位置）で停止する。これにより、光心線判別装置は、光パワー測定を行うことができる光学構造となる。
【００２０】
図２（Ｂ）に示す状態から、図２（Ａ）に示すように、光パワー測定用ヘッド３０を本体部１０に装着する場合、まず、光パワー測定用ヘッド３０の溝部３３に、ヘッド取付用突起部７を本体部１０の側面側から嵌入させ、光パワー測定用ヘッド３０を本体部１０に対して平行（水平）方向にスライドさせて装着する。このとき、モード切替用スイッチ８は溝部３３により本体部１０側に押し込まれるが、図２（Ｃ）に示すように、光パワー測定用ヘッド３０にはモード切替用スイッチ８の先端部を受ける凹部は形成されていないため、モード切替用スイッチ８は本体部１０側に押し込まれたままの状態が維持される。このとき本体側のセンサ（後述）がＯＮとなり、光パワー測定用ヘッド３０が装着されたことを認識し、光パワー測定モードが自動的に設定される。
【００２１】
次に、光ファイバを光パワー測定用ヘッド３０のレセプタ部３１にセットした後に、操作レバー３を前方にスライド操作して、受光素子保持部５及び遮光板６を本体部１０に対して相対移動させて動作状態とする。このとき、光パワー測定用ヘッド３０は、光パワー測定用ヘッド３０に設けられたロック／解除機構３２により遮光板６にロックされ、本体部１０との間で遮光空間を形成する。動作状態となったとき、外部光は遮光され、光パワー測定用ヘッド３０のレセプタ部３１に装着された光ファイバの光パワーを第１の受光素子により検出する。検出された光パワーは、本体部１０に設けられた検出回路により増幅され、その結果は表示部４等に表示される。
【００２２】
本発明に係る光心線判別装置は、暗い環境（明かりの無い環境）で光心線判別等を行う際の作業性を改善することを目的とする。このための構成として、図１及び図２において、本体部１０は、光心線判別用ヘッド２０又は光パワー測定用ヘッド３０を照明する照明手段に相当する照明部２ａと、照明部２ａをオン／オフするためのスイッチ手段に相当するスイッチ部１ａとを備える。この照明部２ａは、ヘッド部分を照明するための光源であり、ヘッド部分近傍に設けられ、受光素子保持部５の移動を妨害しないように配置される。このような条件を満たす照明部２ａの配置例について下記に説明する。
【００２３】
図１（Ｂ）及び図２（Ｂ）に示すように、本体部１０の一端には、受光素子保持部５が突出可能なように開口部が形成されており、この開口部内側の下面端部付近に照明部２ａを設けるようにしてもよい。下面端部付近は、受光素子保持部５が本体部奥に引き込んだ状態（非動作状態）において、外部に露出している面であり、この面に照明部２ａを埋め込むことで、受光素子保持部５の移動を妨げずに、ヘッド部分を照明することができる。なお、照明部２ａの光源としては、本体部１０に内蔵可能な小型のものであればよく、例えば、ＬＥＤ（発光ダイオード）などを好適に用いることができる。
【００２４】
光心線判別を行う場合、照明部２ａは、光ファイバを光心線判別用ヘッド２０の所定位置にセットする作業を行う間はオンにし、一方、セット完了後に光心線判別を行う間はオフにする必要がある。この照明部２ａのオン／オフは、スイッチ部１ａによりユーザが所望のタイミングで行うことができるが、これ以外にも、光心線判別用ヘッド２０が装着されたことを検知したときに、照明部２ａを自動的にオンにしてもよい。本体部１０に光心線判別用ヘッド２０が装着されたか否かは、前述のモード切替用スイッチ８により判定することができる。
【００２５】
そして、照明部２ａがヘッド部分を照明した状態で光ファイバのセットが完了した後に、スイッチ部１ａにより照明部２ａの照明をオフしてもよいが、操作レバー３を前方にスライド操作して受光素子保持部５を移動させ動作状態を検知したときに、照明部２ａの照明を自動的にオフするようにしてもよい。
【００２６】
上記では光心線判別用ヘッド２０を例に説明したが、光パワー測定用ヘッド３０により光パワー測定を行う場合も、上記と同様に照明部２ａの照明を手動あるいは自動的にオン／オフすることができる。なお、光パワー測定の場合、光ファイバの端部をレセプタ部３１に差し込んでセットすればよいため、光心線判別と比べて光ファイバのセット作業が容易である。このため、光パワー測定時には照明部２ａのオン／オフを行わないようにしてもよい。具体的には、光心線判別用ヘッド２０が装着されモード切替用スイッチ８により光心線判別モードが設定されたときのみ照明部２ａをオンにすればよい。
【００２７】
（第２の実施形態）
図３は、本発明の第２の実施形態に係る光パワー測定機能付き光心線判別装置を説明するための図で、光心線判別用ヘッド２０を装着した光心線判別装置の要部詳細例を示す。図３（Ａ）は光心線判別用ヘッド２０及び受光素子保持部５からなるヘッド周辺の構成例を示した図で、図３（Ｂ）は光心線判別用ヘッド２０及び受光素子保持部５からなるヘッド周辺の構成の他の例を示した図である。図中、４０は光ファイバ心線である。
【００２８】
本実施形態では、照明部２ａが受光素子保持部５の光心線判別用ヘッド２０に対向する面に設けられている。ここでは照明部２ａを受光素子保持部５の両端に配置しているが、いずれか一端にのみ配置してもよい。
【００２９】
光心線判別装置の受光素子保持部５が移動して動作状態になると、第１の実施形態と同様に照明部２ａの照明が自動的にオフされる。そして、光ファイバ心線４０は本体部１０の受光素子保持部５と光心線判別用ヘッド２０の湾曲部２１とにより挟まれた状態で固定される。
【００３０】
図３（Ａ）に示すように、受光素子保持部５の先端部に形成された凹部には第１の受光素子（以下、ＰＤ１）と、その両側（図中左右）に第２の受光素子（以下、ＰＤ２）及び第３の受光素子（以下、ＰＤ３）が配設され、湾曲部２１で曲げられた光ファイバ心線４０に接近し、光ファイバ心線４０からの漏洩光を受光検出する。光ファイバ心線４０から漏洩する光レベルは、最初の曲りで検出される漏洩光が最も大きく、図中の光方向の場合、ＰＤ２＞ＰＤ１＞ＰＤ３となるため、いずれか２つの受光素子における漏洩光の光レベルを比較することで、光方向を検出することができる。尚、より正確な光方向の判定には、２つの受光素子における漏洩光の光レベルの差異が大きい方が好ましく、本実施形態ではＰＤ２及びＰＤ３の光レベルを検出するのが好ましい。しかし、ＰＤ１〜ＰＤ３の全ての光レベルを検出するようにしてもよい。
【００３１】
他の例として、変調光の場合は、漏洩光の光レベルの代わりに位相を検出して２つの受光素子の位相差を見てもよい。さらには、漏洩光の光レベル及び位相の両方を検出して方向判別を行ってもよい。これにより、より精度の高い光方向の判別が可能となる。
【００３２】
また、図３（Ｂ）において、受光素子保持部５の中央付近に配設されたＰＤ１の受光面側に波長選択フィルタ９が着脱可能に装着されている。他の構成については図３（Ａ）に示した構成と同様であるため、ここでの説明は省略する。
本例では、ＰＤ１の受光面側に波長選択フィルタ９を介して光ファイバ心線４０の漏洩光を受光する。波長選択フィルタ９は、例えば、誘電体多層膜等の各種フィルタを用いることができる。この波長選択フィルタ９をＰＤ１の受光面側に貼り付ける等の方法で配置することにより、湾曲部２１の部分で漏洩する特定波長の光信号のみを検出することが可能となる。すなわち、波長多重通信においては、特定波長帯の光信号の有無を検出することができる。尚、波長選択フィルタを配置する受光素子は、ＰＤ２又はＰＤ３であってもよく、また、ＰＤ１，ＰＤ２，ＰＤ３のいずれか複数に配置してもよい。
【００３３】
一般的に、信号伝達用の通信用光ファイバ心線には、光の伝送損失が少ない１.５μｍあるいは１.３μｍの波長帯が使用される。１.５μｍ波長が使用されている光ファイバ心線の場合、小径に曲げることは好ましくなく慎重な扱いを必要とするが、１.３μｍ波長が使用されている光ファイバ心線では、１.５μｍ波長の場合よりは、損失増が大きくなく、小径曲げに対して比較的ラフに扱うことができる。光ファイバ心線の敷設等に際してはこれらの特性を把握して光ファイバ心線を取り扱う必要があるが、使用する光ファイバ心線の波長帯が不明な場合等が想定される。このようなときに本発明の光心線判別装置を適用することもできる。これは、例えば、１.５μｍ以上の波長帯を通過させる波長選択フィルタを使用することで、１.５μｍ以上の光ファイバ心線かどうかを容易に判別することができる。すなわち、１.５μｍ以上の波長帯は通過させ、それ以下の波長帯を遮断するため、通過したものが１.５μｍ以上の光ファイバ心線であることがわかる。
【００３４】
また、例えば、ＰＤ２，ＰＤ３それぞれの受光素子の受光面側に波長範囲の異なる波長選択フィルタ９を設けてもよい。これにより、例えば、ＰＤ２とＰＤ３で異なる波長を検出できるようになる。この場合、本体部１０の検出回路側に異なる波長の検出切替を行う切替手段を備えるようにし、これにより、２つの異なる波長の光信号を判別し、また、その光信号の有無を調べることができる。尚、受光素子（ＰＤ）は、３つ以上設けてもよく、それぞれの受光素子に選択波長の異なる波長選択フィルタを配し、検出の切替えを行うことにより、波長多重化された光伝送線路の中から特定の波長帯の光信号を選択し、その光信号の有無を調べることもできる。
【００３５】
図４は、装着されたヘッドに応じてモードを切り替えるモード切替手段の概要を説明するための図である。図４（Ａ）は装着前の光パワー測定用ヘッド３０及び本体部１０の状態を示した図で、図４（Ｂ）は装着後の光パワー測定用ヘッド３０及び本体部１０の状態を示した図である。本体部１０には本体制御部１０ａ及びセンサ制御部１０ｂを備えている。本例では、光パワー測定用ヘッド３０の溝部３３の装着面は平行（水平）方向に平らな形状となっており、装着時には溝部３３によってモード切替用スイッチ８の先端部が本体部１０側に押し込まれる。これにより、本体側のセンサがＯＮされ、センサ制御部１０ｂが光パワー測定用ヘッド３０が装着されたことを本体制御部１０ａの図示しないＣＰＵに知らせ、光パワー測定モードに切り替える。
【００３６】
また、図１（Ｂ）に示したように、光心線判別用ヘッド２０にはモード切替用スイッチ８の先端部を受ける凹部２３が形成されており、モード切替用スイッチ８の先端部が凹部２３に嵌入したとき、モード切替用スイッチ８が本体部１０側に押し込まれた状態が解除され、本体側のセンサがＯＦＦとなり、センサ制御部１０ｂが光心線判別用ヘッド２０が装着されたことを本体制御部１０ａの図示しないＣＰＵに知らせ、光心線判別モードに切り替える。
【００３７】
尚、光心線判別用ヘッド２０又は光パワー測定用ヘッド３０を本体部１０に装着する際、光心線判別用ヘッド２０又は光パワー測定用ヘッド３０側の装着面平行（水平）方向に突部を設け、本体部１０側の装着面平行（水平）方向に溝部を設けるように構成してもよい。すなわち、光心線判別用ヘッド２０又は光パワー測定用ヘッド３０に設けた溝部２２を突部とし、本体部１０に設けたヘッド取付用突起部７を溝部として、上記と凹凸が逆となる構成としてもよい。この場合、例えば、光パワー測定用ヘッド３０側にモード切替用の突起部を設けておき、モード切替用スイッチ８を押圧して本体側のセンサをＯＮにしてもよい。
【００３８】
図５は、本発明が適用される光心線判別装置の検出回路の構成例を示すブロック図で、図中、１１ａ〜１１ｃはＰＤ１，ＰＤ２，ＰＤ３からの電気信号を増幅する増幅部、１２ａ〜１２ｃは増幅部１１ａ〜１１ｃからの出力がアナログ信号の場合にデジタル信号に変換するＡ／Ｄ変換部、１３は全体の制御を司るＣＰＵ、１４は増幅部１１ａ〜１１ｃのゲインを制御するゲイン制御部、１５は光パワー測定用ヘッド３０の装着を検知する光パワー測定用ヘッドセンサ、１６は例えば心線対照光を入力した際に鳴動するブザである。この光心線判別装置は、操作レバー３の操作に従って、心線対照（探索）装置、光方向判別装置、光パワー測定装置としての機能を実行し、その結果を表示部４に表示出力あるいはブザ１６で通知する。
【００３９】
上記のように構成された光心線判別装置において実現される光方向判別機能及び光パワー測定機能について説明する。尚、ヘッドの取り付け方法は前述した通りとし、ここでの説明は省略する。まず、本体部１０に光心線判別用ヘッド２０が装着された場合、光心線判別モードが設定される。ここで、スイッチ部１ａを用いずに照明部２ａを自動的にオンする構成とした場合、ＣＰＵ１３が光心線判別モードの設定を検知すると、照明部２ａの照明をオンに制御する。
【００４０】
そして、判別対象の光ファイバが光心線判別用ヘッド２０にセットされた後に、ＣＰＵ１３が操作レバー３のスライド操作を検知すると、照明部２ａの照明をオフに制御し、この光ファイバからの漏洩光をＰＤ２及びＰＤ３で受光し、ＰＤ２及びＰＤ３によって受光した光信号を電気信号に変換し、その電気信号は増幅部１１ｂ及び１１ｃに入力される。なお、照明部２ａのオン／オフはスイッチ部１ａにより手動で行うようにしてもよいことは言うまでもない。
【００４１】
増幅部１１ｂ及び１１ｃは入力された電気信号をゲイン制御部１４で制御されたゲインに基づいて増幅し、その増幅信号をＡ／Ｄ変換部１２ｂ及び１２ｃを介してＣＰＵ１３に入力する。ＣＰＵ１３は、入力された信号に基づいてＰＤ２、ＰＤ３で検出された漏洩光の光レベルを比較し、その比較結果から光方向を判別し、判別結果を表示部４に表示出力する。尚、本例に限らず、ＰＤ１，ＰＤ２，ＰＤ３の全ての光レベルを見てもよいし、いずれか２つの光レベルを見てもよい。
【００４２】
本体部１０に光パワー測定用ヘッド３０が装着された場合、モード切替用スイッチ８が押圧されて光パワー測定用ヘッドセンサ１５がＯＮされ、光パワー測定モードが設定される。ここで、スイッチ部１ａを用いずに照明部２ａを自動的にオンする構成とした場合、ＣＰＵ１３が光パワー測定モードの設定を検知すると、照明部２ａの照明をオンに制御する。
【００４３】
そして、測定対象の光ファイバが光パワー測定用ヘッド３０のレセプタ部３１にセットされた後に、ＣＰＵ１３が操作レバー３のスライド操作を検知すると、照明部２ａの照明をオフに制御し、レセプタ部３１に装着された光ファイバからの光をＰＤ１で受光し、ＰＤ１によって受光した光信号を電気信号に変換し、その電気信号は増幅部１１ａに入力される。なお、光心線判別の場合と同様に、照明部２ａのオン／オフはスイッチ部１ａにより手動で行うようにしてもよい。
【００４４】
増幅部１１ａは入力された電気信号をゲイン制御部１４で制御されたゲインに基づいて増幅し、その増幅信号をＡ／Ｄ変換部１２ａを介してＣＰＵ１３に入力する。ＣＰＵ１３は、入力された信号に基づいてＰＤ１で検出された光レベルに応じた光パワーを算出し、その算出結果を表示部４に表示出力する。この際、算出結果に応じた最適なレンジをゲイン制御部１４に設定する。
【００４５】
尚、上記の光心線判別装置は、ＰＤ１〜ＰＤ３のいずれか１つを用いて心線対照光の判別（すなわち、ＩＤテスタ）としての機能を備えているのは言うまでもない。
【００４６】
図６は、本発明が適用される光心線判別装置の検出回路の他の構成例を示すブロック図で、図中、１７は位相差検出部である。その他の回路構成については図５に示した回路構成と同様であるため、ここでの説明は省略する。本例では、図５に示した回路構成に位相差検出部１７を付加して、光方向判別において漏洩光のレベル差を見るのではなく、漏洩光の位相差を見るものとする。
【００４７】
まず、本体部１０に光心線判別用ヘッド２０が装着された場合、光心線判別モードが設定される。ここで、スイッチ部１ａを用いずに照明部２ａを自動的にオンする構成とした場合、ＣＰＵ１３が光心線判別モードの設定を検知すると、照明部２ａの照明をオンに制御する。
【００４８】
そして、判別対象の光ファイバが光心線判別用ヘッド２０にセットされた後に、ＣＰＵ１３が操作レバー３のスライド操作を検知すると、照明部２ａの照明をオフに制御し、この光ファイバからの漏洩光をＰＤ２及びＰＤ３で受光し、ＰＤ２及びＰＤ３によって受光した光信号を電気信号に変換し、その電気信号は増幅部１１ｂ及び１１ｃに入力される。なお、図５の構成と同様に、照明部２ａのオン／オフはスイッチ部１ａにより手動で行うようにしてもよい。
【００４９】
増幅部１１ｂ及び１１ｃは入力された電気信号をゲイン制御部１４で制御されたゲインに基づいて増幅し、位相差検出部１７は増幅部１１ｂ及び１１ｃからの増幅信号から各ＰＤの漏洩光の位相を検出してＣＰＵ１３に入力する。ＣＰＵ１３は、入力された各ＰＤの位相に基づいてＰＤ２、ＰＤ３で検出された漏洩光の位相を比較し、その比較結果から光方向を判別し、判別結果を表示部４に表示出力する。なお、本例に限らず、ＰＤ１，ＰＤ２，ＰＤ３の全ての位相を見てもよいし、いずれか２つの位相を見てもよい。
【００５０】
このように、本発明によれば、ヘッド部分を照明する照明手段を内蔵することにより、外乱光による影響を受けることなく、暗い環境下で光ファイバをセットする際の作業性を改善することができる。
【００５１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【符号の説明】
【００５２】
１…上部筐体、１ａ…スイッチ部、２…下部筐体、２ａ…照明部、３…操作レバー、４…表示部、５…受光素子保持部、６…遮光板、７…ヘッド取付用突起部、８…モード切替用スイッチ、９…波長選択フィルタ、１０…本体部、１０ａ…本体制御部、１０ｂ…センサ制御部、１１ａ〜１１ｃ…増幅部、１２ａ〜１２ｃ…Ａ／Ｄ変換部、１３…ＣＰＵ、１４…ゲイン制御部、１５…光パワー測定用ヘッドセンサ、１６…ブザ、１７…位相差検出部、２０…光心線判別用ヘッド、２１…湾曲部、２２，３３…溝部、２３…凹部、３０…光パワー測定用ヘッド、３１…レセプタ部、３２…ロック／解除機構、４０…光ファイバ心線、４１…光コネクタ付き心線又はコード。
【図１】
2010185765.tif 000003
【図２】
2010185765.tif 000004
【図３】
2010185765.tif 000005
【図４】
2010185765.tif 000006
【図５】
2010185765.tif 000007
【図６】
2010185765.tif 000008